(57)【要約】【課題】スーパー等で食品等を収容して販売されている食品用容器をビニール袋等に収容したときに、当該袋内でその食品用容器が横転することなく安定した状態で持ち運べるようにした食品用容器を提供する。【解決手段】飲食物を収容する食品用容器１の外側底面１４に接着手段２０を設け、前記接着手段２０を当該食品用容器１を収容すべき袋体３０の内側底面３２に接着させる。また、飲食物を収容する食品用容器１の外側底面２１０に配設され、食品用容器１を収容すべき袋体の内側底面に接着することにより食品用容器１を袋体内で横転させることなく持ち運べるようにする接着部材１００であって、食品用容器１の外側底面２１０に接着する第１の接着部１２２と、そして、袋体の内側底面と接着する第２の接着部１２４と、を備え、第２の接着部１２４の接着面は接着面の周囲よりも僅かに内側に位置するように構成されている。【選択図】  図１
2004182317.tif 000002
【特許請求の範囲】
【請求項１】
飲食物を収容する食品用容器の外側底面に接着手段を設け、前記接着手段を当該食品用容器を収容すべき袋体の内側底面に接着させることにより前記食品用容器を袋体内で横転させることなく持ち運べるようにしたことを特徴とする食品用容器。
【請求項２】
請求項１に記載の食品用容器において、
前記接着手段は、前記袋体の内側底面と接着する接着面が当該接着面の周囲よりも僅かに内側に位置するように構成されていることを特徴とする食品用容器。
【請求項３】
請求項１に記載の食品用容器において、
前記接着手段は、当該食品用容器の外側底面に設けられた１又は複数の凹部に配設され、前記袋体の内側底面と接着する前記接着手段の接着面が前記食品用容器の外側底面よりも僅かに内側に位置するように構成されていることを特徴とする食品用容器。
【請求項４】
請求項１〜３のいずれか１項に記載の食品用容器において、前記食品用容器は魚類や肉類等の生鮮食品を収容するための食品用トレイであることを特徴とする食品用容器。
【請求項５】
飲食物を収容する食品用容器の外側底面に配設され、当該食品用容器を収容すべき袋体の内側底面に接着することにより前記食品用容器を袋体内で横転させることなく持ち運べるようにする接着部材であって、
前記食品用容器の外側底面に接着する第１の接着部と、そして、
前記袋体の内側底面と接着する第２の接着部と、
を備え、
前記第２の接着部の接着面は当該接着面の周囲よりも僅かに内側に位置するように構成されたことを特徴とする接着部材。
【発明の詳細な説明】
【０００１】
【発明の属する技術分野】
本発明は、食品用容器に関し、より詳細には、スーパー等で食品等を収容して販売されている食品用容器をビニール袋等に収容したときに、当該袋内でその食品用容器が横転することなく安定した状態で持ち運べるようにした食品用容器に関する。
【０００２】
【従来の技術】
従来、スーパー等において生鮮食品を入れるために使用される食品用容器の多くは、一般に表面が衛生加工されたＰＥＴ（ポリエチレンテレフタレート）等の合成樹脂で製作されているが、このＰＥＴ容器の表面摩擦は非常に少ない。そのため一般的には、持ち運びのときに食品が収容されたその食品用容器がビニール製の袋の中で傾いたり、横転しないように意識して収容する。例えば、容器が袋の底部において水平に保たれるように置いたり、容器の重量が重いものを下の方から順に置いたり、サイズを揃えて置いたりと様々な工夫がなされる。
しかし、既に述べたように、従来から一般的に使用されているＰＥＴ製の容器は非常に滑り易く、せっかく工夫をして袋に収容しても、袋を持ち運んでいるうちに、軽量な容器はビニール袋の中で滑って移動して傾いたりと、目的地に着く頃には、その食品用容器内の内容物は混ざり合ったり又は片寄ったりしてしまうので、汚れて外観が非常に悪くなってしまうという問題があった。
【０００３】
そこで、このような問題を解決するために、従来から、様々な技術的手段が考え出されている。特許文献１に記載の考案もその１つである（特許文献１参照）。特許文献１に記載の考案は、食品用トレイ及び食品用トレイの底敷きシートに関するものであり、運搬・搬入作業中に食品用トレイの底敷きシートがずれて、トレイの中の食品等が乱れることを防止する食品用トレイと食品用トレイの底敷きシートを提供するものである。特許文献１の考案によれば、食品が食品用トレイ内で片寄ったり又は乱れたりすることがないので、商品価値が高い状態を維持できるというものであります。
【０００４】
【特許文献１】
登録実用新案第３０１４８６８号公報  （第４〜７頁、第１図）
【０００５】
【発明が解決しようとする課題】
しかし、特許文献１に記載の考案では、底敷きシート自体が食品用トレイの上を滑って動くという問題点は解決されているが、食品用トレイとそれを収容する袋との間のズレという問題は未だ残されている。つまり、特許文献１に記載の考案では、食品購入者は食品用トレイを袋へ入れて持ち運んだときに、食品用トレイ自体が次第に袋の中で滑って移動し又は横転する可能性があり、本願で提起している課題を解決できるものではありません。
そこで、本発明は以上のような問題点を解決するものであり、使用者がスーパー等で買い物をして、食品が収容された食品用容器を買い物袋の中へ入れて持ち運んでも、食品用容器と買い物袋の内底面とが接着されているので、食品用容器自体が買い物袋内で滑って移動したり、傾いたりすることがほとんど無いので、容器内の内容物が形状を崩したり、混ぜ合わさることを防ぐことができる食品用容器を提供することを目的とするものである。
【０００６】
【課題を解決するための手段】
前記目的を達成するために請求項１に記載の発明は、飲食物を収容する食品用容器の外側底面に接着手段を設け、接着手段を食品用容器を収容すべき袋体の内側底面に接着させることにより食品用容器を袋体内で横転させることなく持ち運べるようにしたことを特徴とする。
【０００７】
前記目的を達成するため請求項２に記載の発明は、請求項１に記載の食品用容器において、接着手段は、袋体の内側底面と接着する接着面が接着面の周囲よりも僅かに内側に位置するように構成されていることを特徴とする。
【０００８】
前記目的を達成するため請求項３に記載の発明は、請求項１に記載の食品用容器において、
接着手段は、食品用容器の外側底面に設けられた１又は複数の凹部に配設され、袋体の内側底面と接着する接着手段の接着面が食品用容器の外側底面よりも僅かに内側に位置するように構成されていることを特徴とする。
【０００９】
前記目的を達成するため請求項４に記載の発明は、請求項１〜３のいずれか１項に記載の食品用容器において、食品用容器は魚類や肉類等の生鮮食品を収容するための食品用トレイであることを特徴とする。
【００１０】
前記目的を達成するため請求項５に記載の発明は、飲食物を収容する食品用容器の外側底面に配設され、食品用容器を収容すべき袋体の内側底面に接着することにより食品用容器を袋体内で横転させることなく持ち運べるようにする接着部材であって、食品用容器の外側底面に接着する第１の接着部と、そして、袋体の内側底面と接着する第２の接着部と、を備え、第２の接着部の接着面は接着面の周囲よりも僅かに内側に位置するように構成されたことを特徴とする。
【００１１】
【発明の実施の形態】
以下、本発明に係る食品用容器について、図面に基づいて詳細に説明する。
図１は本発明に係る食品用容器の第１の実施形態である。
まず、本発明に係る食品用容器１は、容器本体１０と、接着手段２０とを備えて構成されている。
【００１２】
容器本体１０は、ＰＥＴ（ポリエチレンテレフタレート）等の合成樹脂製であり、開口部１２を有する箱形状の部材である。さらに開口部１２に近づくに従い、一定の角度で徐々に広く開口するようにされている。
【００１３】
図１（ａ）に示すように、容器本体１０の外側底面１４には、その略中心を点対称として外側底面１４の四隅にそれぞれ接着手段収容凹部１６が４箇所に設けられており、さらに接着手段収容凹部１６には、凹部底面１６ａが形成されている。
本実施例では、円形の接着手段収容凹部１６を４箇所設けたが、当然、容器本体１０のサイズ等により接着手段収容凹部１６の大きさや形状はこれに限られず、適宜に変更できるものとし、容器本体１０の外側底面１４の１又は２箇所以上に接着手段収容凹部１６が備えられていれば良い。さらに、容器本体１０の周囲の横側壁に接着手段収容凹部１６を設けても同様の効果が得られる。
【００１４】
接着手段２０は略円形のシート形状の接着部材であり、その両面が接着部となっている。接着手段２０は、図２に示すように、その１端面が第１の接着部２２と、他端面が第２の接着部２４とが設けられて構成されている。
【００１５】
図１（ｂ）に示すように、接着手段２０の第１の接着部２２は、容器本体１０に設けられている接着手段収容凹部１６の凹部底面１６ａと密着して固定される。
尚、本実施例では，接着手段２０の第２の接着部２４は、容器本体１０の外側底面１４から外側に突出しないように構成されているが、これに限られず、容器本体１０の外側底面１４から外側に突出していても同様の効果が得られる。但し、その場合には、第２の接着部２４の表面部分には図示しない保護シート等で第２の接着部２４を保護するのがより好ましい。
【００１６】
図２又は図３に示すように、本願発明の構成により、食品用容器１を袋体３０に水平に入れたときに、接着手段２０の第２の接着部２４は容器本体１０の外側底面１４から外側に突出していないため、そのままでは、袋体３０の袋体底部３２と第２の接着部２４は密着して接着することはない。しかし、実際に使用するときは、袋体底部３２を第２の接着部２４に押し当てて密着させて接着することによって、食品用容器１と袋体３０とのずれが阻止される。
【００１７】
また、第２の接着部２４はそれほど強力な接着力を有するものではなく、食品用容器１を袋体３０から取出すときは、第２の接着部２４と袋体底部３２とを引き離すことにより、食品用容器１は袋体３０と簡単に引き剥がすことができる。
【００１８】
次に、図４及び図５は、本発明に係る接着部材１００の第１の実施形態である。
接着部材１００は、本体１１０と、接着手段１２０とを備えて構成されている。
【００１９】
本体１１０は、樹脂製の板状の部材であり、図示しない袋体に接着される底面１１２と、食品用トレイ２００に接着されるように接着面を有する上面１１４とが設けられて構成されている。
【００２０】
さらに本体１１０の底面１１２には、凹部１１２ａと、さらに凹部１１２ａには、接着手段１２０と接着される凹部底面１１２ｂとが設けられている。
【００２１】
接着手段１２０は略円形のシート形状の接着部材であり、その両面が接着部となっている。図４に示すように、接着手段１２０は、その１端面が第１の接着部１２２と、他端面が第２の接着部１２４とが設けられて構成されている。
【００２２】
接着手段１２０は、図４に示すように、本体１１０に形成された底面１１２内部に収容され、接着手段１２０の第２の接着部１２４によって凹部底面１１２ｂと密着して固定される。尚、本実施例では、このとき、第１の接着部１２２が底面１１２よりも外側に突出しないようにされている。しかし、これに限られるものではなく、第１の接着部１２２は外側に突出していても本願発明と同様の効果が得られる。その場合、第１の接着部１２２の表面部分には図示しない保護シート等によって、第１の接着部１２２を保護することがより好ましい。
【００２３】
さらに、図５に示すように、接着部材１００は、その上面１１４に設けられた接着面によって、食品用トレイ２００の外側底面２１０の任意の位置に接着できるため、従来の食品用トレイ２００をそのまま利用することが可能で、本願発明の接着部材１００を付した食品用トレイ２００を図示しない袋体に収容したときに、第１の接着部１２２は底面１１２から外側に突出していないため、そのままでは、図示しない袋体と接着せずに、意識的に接着手段１２０の第１の接着部１２２と図示しない袋体の底面とを接着させることによって、食品用トレイ２００は図示しない袋体と接着されて横ずれや横転することなく持ち運ぶことができる。
【００２４】
【発明の効果】
以上、説明したように、本発明に係る食品用容器によれば、食品用容器を袋体等に収容したときに、食品用容器と袋体とが接着し、当該袋内でその食品用容器が横転することなく安定した状態で持ち運べ、接着部分の接着力は強力でないので、食品用容器と袋体とは容易に剥奪することができるという効果がある。
【００２５】
また、本発明に係る接着部材を、一般的に使用されている従来の食品用トレイをそのまま利用して、その底面に貼り付けることができ、その食品用トレイを袋体等に収容したときに、接着部材と袋体とが接着し、当該袋体内でその食品用トレイが横転することなく安定した状態で持ち運べるという効果がある。
【００２６】
【図面の簡単な説明】
【図１】（ａ）は本発明の食品用容器の一実施形態を示す底面図であり、（ｂ）はそのＡ−Ａ断面側面図である。
【図２】は本発明の接着手段を示す概略斜視図である。
【図３】は本発明の食品用容器を袋体に収容した一実施例を示す概略斜視図である。
【図４】は本発明の接着部材を示す概略斜視図である。
【図５】は本発明の接着部材を取付けた食品用トレイを示す概略斜視図である。
【符号の説明】
１    食品用容器
１０    容器本体
１２    開口部
１４    外側側面
１６    接着手段収容凹部
１６ａ    凹部底面
２０    接着手段
２２    第１の接着部
２４    第２の接着部
３０    袋体
３２    袋体底部
１００    接着部材
１１０    本体
１１２    底面
１１２ａ    凹部
１１２ｂ    凹部底面
１１４    上面
１２０    接着手段
１２２    第１の接着部
１２４    第２の接着部
２００    食品用トレイ
２１０    外側底面
【図１】
2004182317.tif 000003
【図２】
2004182317.tif 000004
【図３】
2004182317.tif 000005
【図４】
2004182317.tif 000006
【図５】
2004182317.tif 000007